(57)【要約】【課題】高価な人感センサを用いることなく適切に入浴開始と入浴終了を判定する。【解決手段】浴室１２０と脱衣所１３０の少なくとも一方に設けられる温度センサと湿度センサのとのいずれか一方のセンサと、前記センサにより得られるセンサデータに基づき温度または湿度の上昇下降傾向に対応付けて入浴開始判定対象値と入浴終了判定対象値を算出する算出手段２２０と、前記算出手段２２０が算出した判定対象値に基づき入浴開始となったか入浴終了となったかを判定する入浴判定手段２３０とを具備する。【選択図】図１
2019100642.tif 000002
【特許請求の範囲】
【請求項１】
浴室と脱衣所の少なくとも一方に設けられる温度センサと湿度センサのとのいずれか一方のセンサと、
前記センサにより得られるセンサデータに基づき温度または湿度の上昇下降傾向に対応付けて入浴開始判定対象値と入浴終了判定対象値を算出する算出手段と、
前記算出手段が算出した判定対象値に基づき入浴開始となったか入浴終了となったかを判定する入浴判定手段と
を具備することを特徴とする入浴状況監視システム。
【請求項２】
湿度センサが浴室と脱衣所に設けられ、
前記算出手段は、浴室に設けられた湿度センサから時系列に得られる湿度データに基づき湿度の上昇下降傾向に対応付けて入浴開始判定対象値を算出する浴室湿度対応判定対象値算出手段と、脱衣所に設けられた湿度センサから時系列に得られる湿度データに基づき湿度の上昇下降傾向に対応付けて入浴終了判定対象値を算出する脱衣所湿度対応判定対象値算出手段とにより構成され、
入浴判定手段は、前記浴室湿度対応判定対象値算出手段により算出された入浴開始判定対象値に基づき入浴開始の判定を行い、前記脱衣所湿度対応判定対象値算出手段により算出された入浴終了判定対象値に基づき入浴終了の判定を行うことを特徴とする請求項１に記載の入浴状況監視システム。
【請求項３】
温度センサが浴室と脱衣所に設けられ、
前記算出手段は、浴室に設けられた温度センサから時系列に得られる温度データに基づき温度の上昇下降傾向に対応付けて入浴開始判定対象値を算出する浴室温度対応判定対象値算出手段と、脱衣所に設けられた温度センサから時系列に得られる温度データに基づき温度の上昇下降傾向に対応付けて入浴終了判定対象値を算出する脱衣所温度対応判定対象値算出手段とにより構成され、
入浴判定手段は、前記浴室温度対応判定対象値算出手段により算出された入浴開始判定対象値に基づき入浴開始の判定を実行し、前記脱衣所温度対応判定対象値算出手段により算出された入浴終了判定対象値に基づき入浴終了と判定することを特徴とする請求項１に記載の入浴状況監視システム。
【請求項４】
湿度センサと温度センサが浴室と脱衣所のそれぞれに設けられ、
前記算出手段は、浴室に設けられた湿度センサから時系列に得られる湿度データに基づき湿度の上昇下降傾向に対応付けて入浴開始判定対象値を算出する浴室湿度対応判定対象値算出手段と、浴室に設けられた温度センサから時系列に得られる温度データに基づき温度の上昇下降傾向に対応付けて入浴開始判定対象値を算出する浴室温度対応判定対象値算出手段と、脱衣所に設けられた湿度センサから時系列に得られる湿度データに基づき湿度の上昇下降傾向に対応付けて入浴終了判定対象値を算出する脱衣所湿度対応判定対象値算出手段と、脱衣所に設けられた温度センサから時系列に得られる温度データに基づき温度の上昇下降傾向に対応付けて入浴終了判定対象値を算出する脱衣所温度対応判定対象値算出手段とにより構成され、
入浴判定手段は、前記浴室湿度対応判定対象値算出手段により算出された入浴開始判定対象値と前記浴室温度対応判定対象値算出手段により算出された入浴開始判定対象値とに基づき入浴開始の判定を実行し、前記脱衣所湿度対応判定対象値算出手段により算出された入浴終了判定対象値と前記脱衣所温度対応判定対象値算出手段により算出された入浴終了判定対象値とに基づき入浴終了の判定を実行することを特徴とする請求項１に記載の入浴状況監視システム。
【請求項５】
入浴判定手段は、前記浴室湿度対応判定対象値算出手段により算出された入浴開始判定対象値及び前記浴室温度対応判定対象値算出手段により算出された入浴開始判定対象値が共に入浴開始を示すときに入浴開始と判定し、前記脱衣所湿度対応判定対象値算出手段により算出された入浴終了判定対象値及び前記脱衣所温度対応判定対象値算出手段により算出された入浴終了判定対象値が共に入浴終了を示すときに入浴終了と判定することを特徴とする請求項５に記載の入浴状況監視システム。
【請求項６】
入浴判定手段は、前記浴室湿度対応判定対象値算出手段により算出された入浴開始判定対象値と前記浴室温度対応判定対象値算出手段により算出された入浴開始判定対象値のいずれかが入浴開始を示すときに入浴開始と判定し、前記脱衣所湿度対応判定対象値算出手段により算出された入浴終了判定対象と前記脱衣所温度対応判定対象値算出手段により算出された入浴終了判定対象値のいずれかが入浴終了を示すときに入浴終了と判定することを特徴とする請求項５に記載の入浴状況監視システム。
【請求項７】
算出手段は、所定時間内に所定時間間隔で前後のデータを比較し、所定値を超える変動があった場合の度数を判定対象値とすることを特徴とする請求項１乃至６のいずれか１項に記載の入浴状況監視システム。
【請求項８】
算出手段は、所定時間内に所定時間間隔で前後のデータを比較し、所定値を超える変動があった場合に所定重み値を加算して判定対象値とすることを特徴とする請求項１乃至６のいずれか１項に記載の入浴状況監視システム。
【請求項９】
温度センサが浴室と脱衣所に設けられ、
前記算出手段は、浴室に設けられた温度センサから時系列に得られる温度データに基づき温度の上昇下降傾向に対応付けて入浴開始判定対象値を算出する浴室温度対応判定対象値算出手段と、脱衣所に設けられた温度センサから時系列に得られる温度データに基づき温度の上昇下降傾向に対応付けて第１の入浴終了判定対象値と第２の入浴終了判定対象値とを算出する脱衣所温度対応判定対象値算出手段とにより構成され、
入浴判定手段は、前記浴室温度対応判定対象値算出手段により算出された入浴開始判定対象値に基づき入浴開始の判定を実行し、前記脱衣所温度対応判定対象値算出手段により算出された第１、第２の入浴終了判定対象値に基づき入浴終了と判定することを特徴とする請求項１に記載の入浴状況監視システム。
【請求項１０】
初期状態が入浴終了状態であり、前記入浴判定手段により入浴終了状態から入浴開始への変化がある毎に１人または１回を加算し、入浴し入浴終了となった人数または入浴回数を算出する入浴人数回数算出手段を具備したことを特徴とする請求項１乃至９に記載の入浴状況監視システム。
【請求項１１】
初期状態が入浴終了状態であり、前記入浴判定手段により入浴終了状態から入浴開始への変化があったときから入浴終了となるまでの入浴時間を監視する入浴時間監視手段と、
前記入浴監視手段により監視された入浴時間が所定値を超えると、警報情報を出力する警報出力制御手段と
を具備することを特徴とする請求項１乃至１０のいずれか１項に記載の入浴状況監視システム。
【請求項１２】
コンピュータを、
浴室と脱衣所の少なくとも一方に設けられる温度センサと湿度センサのとのいずれか一方のセンサにより得られるセンサデータに基づき温度または湿度の上昇下降傾向に対応付けて入浴開始判定対象値と入浴終了判定対象値を算出する算出手段、
前記算出手段が算出した判定対象値に基づき入浴開始となったか入浴終了となったかを判定する入浴判定手段
として機能させることを特徴とする入浴状況監視プログラム。
【請求項１３】
前記コンピュータを、前記算出手段における、
浴室に設けられた湿度センサから時系列に得られる湿度データに基づき湿度の上昇下降傾向に対応付けて入浴開始判定対象値を算出する浴室湿度対応判定対象値算出手段、
脱衣所に設けられた湿度センサから時系列に得られる湿度データに基づき湿度の上昇下降傾向に対応付けて入浴終了判定対象値を算出する脱衣所湿度対応判定対象値算出手段
として機能させ、
前記コンピュータを、入浴判定手段として、前記浴室湿度対応判定対象値算出手段により算出された入浴開始判定対象値に基づき入浴開始の判定を行い、前記脱衣所湿度対応判定対象値算出手段により算出された入浴終了判定対象値に基づき入浴終了の判定を行うように機能させることを特徴とする請求項１２に記載の入浴状況監視プログラム。
【請求項１４】
前記コンピュータを、前記算出手段における、
浴室に設けられた温度センサから時系列に得られる温度データに基づき温度の上昇下降傾向に対応付けて入浴開始判定対象値を算出する浴室温度対応判定対象値算出手段、
脱衣所に設けられた温度センサから時系列に得られる温度データに基づき温度の上昇下降傾向に対応付けて入浴終了判定対象値を算出する脱衣所温度対応判定対象値算出手段と
として機能させ、
前記コンピュータを、入浴判定手段として、前記浴室温度対応判定対象値算出手段により算出された入浴開始判定対象値に基づき入浴開始の判定を実行し、前記脱衣所温度対応判定対象値算出手段により算出された入浴終了判定対象値に基づき入浴終了と判定するように機能させることを特徴とする請求項１２に記載の入浴状況監視プログラム。
【請求項１５】
前記コンピュータを、前記算出手段における、
浴室に設けられた湿度センサから時系列に得られる湿度データに基づき湿度の上昇下降傾向に対応付けて入浴開始判定対象値を算出する浴室湿度対応判定対象値算出手段、
浴室に設けられた温度センサから時系列に得られる温度データに基づき温度の上昇下降傾向に対応付けて入浴開始判定対象値を算出する浴室温度対応判定対象値算出手段、
脱衣所に設けられた湿度センサから時系列に得られる湿度データに基づき湿度の上昇下降傾向に対応付けて入浴終了判定対象値を算出する脱衣所湿度対応判定対象値算出手段、
脱衣所に設けられた温度センサから時系列に得られる温度データに基づき温度の上昇下降傾向に対応付けて入浴終了判定対象値を算出する脱衣所温度対応判定対象値算出手段
として機能させ、
前記コンピュータを、入浴判定手段として、前記浴室湿度対応判定対象値算出手段により算出された入浴開始判定対象値と前記浴室温度対応判定対象値算出手段により算出された入浴開始判定対象値とに基づき入浴開始の判定を実行し、前記脱衣所湿度対応判定対象値算出手段により算出された入浴終了判定対象値と前記脱衣所温度対応判定対象値算出手段により算出された入浴終了判定対象値とに基づき入浴終了の判定を実行するように機能させることを特徴とする請求項１２に記載の入浴状況監視プログラム。
【請求項１６】
前記コンピュータを、入浴判定手段として、前記浴室湿度対応判定対象値算出手段により算出された入浴開始判定対象値及び前記浴室温度対応判定対象値算出手段により算出された入浴開始判定対象値が共に入浴開始を示すときに入浴開始と判定し、前記脱衣所湿度対応判定対象値算出手段により算出された入浴終了判定対象値及び前記脱衣所温度対応判定対象値算出手段により算出された入浴終了判定対象値が共に入浴終了を示すときに入浴終了と判定するように機能させることを特徴とする請求項１５に記載の入浴状況監視プログラム。
【請求項１７】
前記コンピュータを、入浴判定手段として、前記浴室湿度対応判定対象値算出手段により算出された入浴開始判定対象値と前記浴室温度対応判定対象値算出手段により算出された入浴開始判定対象値のいずれかが入浴開始を示すときに入浴開始と判定し、前記脱衣所湿度対応判定対象値算出手段により算出された入浴終了判定対象と前記脱衣所温度対応判定対象値算出手段により算出された入浴終了判定対象値のいずれかが入浴終了を示すときに入浴終了と判定するように機能させることを特徴とする請求項１５に記載の入浴状況監視プログラム。
【請求項１８】
前記コンピュータを、算出手段として、所定時間内に所定時間間隔で前後のデータを比較し、所定値を超える変動があった場合の度数を判定対象値とするように機能させることを特徴とする請求項１２乃至１７のいずれか１項に記載の入浴状況監視プログラム。
【請求項１９】
前記コンピュータを、算出手段として、所定時間内に所定時間間隔で前後のデータを比較し、所定値を超える変動があった場合に所定重み値を加算して判定対象値とするように機能することを特徴とする請求項１２乃至１７のいずれか１項に記載の入浴状況監視プログラム。
【請求項２０】
前記コンピュータを、算出手段における、
浴室に設けられた温度センサから時系列に得られる温度データに基づき温度の上昇下降傾向に対応付けて入浴開始判定対象値を算出する浴室温度対応判定対象値算出手段、
脱衣所に設けられた温度センサから時系列に得られる温度データに基づき温度の上昇下降傾向に対応付けて第１の入浴終了判定対象値と第２の入浴終了判定対象値とを算出する脱衣所温度対応判定対象値算出手段
として機能させ、
前記コンピュータを、入浴判定手段として、前記浴室温度対応判定対象値算出手段により算出された入浴開始判定対象値に基づき入浴開始の判定を実行し、前記脱衣所温度対応判定対象値算出手段により算出された第１、第２の入浴終了判定対象値に基づき入浴終了と判定するように機能させることを特徴とする請求項１２に記載の入浴状況監視プログラム。
【請求項２１】
前記コンピュータを更に、
初期状態が入浴終了状態であり、前記入浴判定手段により入浴終了状態から入浴開始への変化がある毎に１人または１回を加算し、入浴し入浴終了となった人数または入浴回数を算出する入浴人数回数算出手段
として機能させることを特徴とする請求項１２乃至２０に記載の入浴状況監視プログラム。
【請求項２２】
前記コンピュータを更に、
初期状態が入浴終了状態であり、前記入浴判定手段により入浴終了状態から入浴開始への変化があったときから入浴終了となるまでの入浴時間を監視する入浴時間監視手段、
前記入浴監視手段により監視された入浴時間が所定値を超えると、警報情報を出力する警報出力制御手段
として機能させることを特徴とする請求項１２乃至２１のいずれか１項に記載の入浴状況監視プログラム。
【発明の詳細な説明】
【技術分野】
【０００１】
この発明は、入浴状況監視システム及び入浴状況監視プログラムに関するものである。
【背景技術】
【０００２】
一般的に人がどこに居るのかを監視するためには、ドアセンサや人感センサが用いられる。しかしながら、ドアセンサや人感センサは高価であるばかりか、取付位置が限定されることや取付法が難しい場合があるなどの問題があった。
【０００３】
特許文献１には、リストバンドを人に取り付け、リストバンドからＩＤを読み取るＩＤ読取装置をゾーン毎に設けて、どのゾーンにどの人が居るのかを検出するシステムが開示されている。
【０００４】
特許文献２には、寝室とトイレなどのように温度差の大きな場所へ移動する際のヒートショック発生等に対応するために、温度を検出して演算により温度差を検出し注意喚起を行うことが開示されている。
【０００５】
特許文献３には、ヒートショックの発生を抑制しながらも使用者の負担を低減させる報知システムが開示されている。このシステムでは、建物内の第１空間と第２空間の温度を測定し、この第１空間と第２空間との間の移動が照明の点灯消灯などにより検出され、第１空間と第２空間との温度の条件が所定の場合に報知を行うというものである。
【先行技術文献】
【特許文献】
【０００６】
【特許文献１】特開平８−３２１５０００号公報
【特許文献２】特開２００５−２４９４４１号公報
【特許文献３】特開２０１７−４３７９号公報
【発明の概要】
【発明が解決しようとする課題】
【０００７】
上記の特許文献１の発明によると、リストバンドを人に取り付ける必要があり、また、ゾーン毎にＩＤ読取装置を設ける必要があり、構成が大型化しコスト的にも高いものとなる問題がある。また、特許文献２の発明によると、移動先を入力することにより温度差が検出されるものであり、例えば脱衣所から浴室へ移ったかまたは浴室から脱衣所へ移動したかなどを人が入力することなく検出できるものではない。従って、特に監視者を不要として入浴状況監視を行えるものではなかった。更に、特許文献３の発明は、人感センサを設ける必要がないものの、照明の点灯と消灯により人の移動を検出するものであるから、照明が同じ照度で点灯している場合には、人の移動を検出できないものであった。
【０００８】
本発明は上記のような人の移動を検出に係る技術分野の現状に鑑みてなされたもので、その目的は、人による監視が不必要であり、照明環境の変動が特にない入浴環境においても入浴開始と入浴終了を判定して、風呂場などにおけるヒートショックやその他の事故などの蓋然性が高い場合を知ることができる入浴状況監視システム及び入浴状況監視プログラム提供することである。
【課題を解決するための手段】
【０００９】
本発明に係る入浴状況監視システムは、浴室と脱衣所の少なくとも一方に設けられる温度センサと湿度センサのとのいずれか一方のセンサと、前記センサにより得られるセンサデータに基づき温度または湿度の上昇下降傾向に対応付けて入浴開始判定対象値と入浴終了判定対象値を算出する算出手段と、前記算出手段が算出した判定対象値に基づき入浴開始となったか入浴終了となったかを判定する入浴判定手段とを具備することを特徴とする。
【００１０】
本発明に係る入浴状況監視システムでは、湿度センサが浴室と脱衣所に設けられ、前記算出手段は、浴室に設けられた湿度センサから時系列に得られる湿度データに基づき湿度の上昇下降傾向に対応付けて入浴開始判定対象値を算出する浴室湿度対応判定対象値算出手段と、脱衣所に設けられた湿度センサから時系列に得られる湿度データに基づき湿度の上昇下降傾向に対応付けて入浴終了判定対象値を算出する脱衣所湿度対応判定対象値算出手段とにより構成され、入浴判定手段は、前記浴室湿度対応判定対象値算出手段により算出された入浴開始判定対象値に基づき入浴開始の判定を行い、前記脱衣所湿度対応判定対象値算出手段により算出された入浴終了判定対象値に基づき入浴終了の判定を行うことを特徴とする。
【００１１】
本発明に係る入浴状況監視システムでは、温度センサが浴室と脱衣所に設けられ、前記算出手段は、浴室に設けられた温度センサから時系列に得られる温度データに基づき温度の上昇下降傾向に対応付けて入浴開始判定対象値を算出する浴室温度対応判定対象値算出手段と、脱衣所に設けられた温度センサから時系列に得られる温度データに基づき温度の上昇下降傾向に対応付けて入浴終了判定対象値を算出する脱衣所温度対応判定対象値算出手段とにより構成され、入浴判定手段は、前記浴室温度対応判定対象値算出手段により算出された入浴開始判定対象値に基づき入浴開始の判定を実行し、前記脱衣所温度対応判定対象値算出手段により算出された入浴終了判定対象値に基づき入浴終了と判定することを特徴とする。
【００１２】
本発明に係る入浴状況監視システムでは、湿度センサと温度センサが浴室と脱衣所のそれぞれに設けられ、
前記算出手段は、浴室に設けられた湿度センサから時系列に得られる湿度データに基づき湿度の上昇下降傾向に対応付けて入浴開始判定対象値を算出する浴室湿度対応判定対象値算出手段と、浴室に設けられた温度センサから時系列に得られる温度データに基づき温度の上昇下降傾向に対応付けて入浴開始判定対象値を算出する浴室温度対応判定対象値算出手段と、脱衣所に設けられた湿度センサから時系列に得られる湿度データに基づき湿度の上昇下降傾向に対応付けて入浴終了判定対象値を算出する脱衣所湿度対応判定対象値算出手段と、脱衣所に設けられた温度センサから時系列に得られる温度データに基づき温度の上昇下降傾向に対応付けて入浴終了判定対象値を算出する脱衣所温度対応判定対象値算出手段とにより構成され、入浴判定手段は、前記浴室湿度対応判定対象値算出手段により算出された入浴開始判定対象値と前記浴室温度対応判定対象値算出手段により算出された入浴開始判定対象値とに基づき入浴開始の判定を実行し、前記脱衣所湿度対応判定対象値算出手段により算出された入浴終了判定対象値と前記脱衣所温度対応判定対象値算出手段により算出された入浴終了判定対象値とに基づき入浴終了の判定を実行することを特徴とする。
【００１３】
本発明に係る入浴状況監視システムでは、入浴判定手段は、前記浴室湿度対応判定対象値算出手段により算出された入浴開始判定対象値及び前記浴室温度対応判定対象値算出手段により算出された入浴開始判定対象値が共に入浴開始を示すときに入浴開始と判定し、前記脱衣所湿度対応判定対象値算出手段により算出された入浴終了判定対象値及び前記脱衣所温度対応判定対象値算出手段により算出された入浴終了判定対象値が共に入浴終了を示すときに入浴終了と判定することを特徴とする。
【００１４】
本発明に係る入浴状況監視システムでは、入浴判定手段は、前記浴室湿度対応判定対象値算出手段により算出された入浴開始判定対象値と前記浴室温度対応判定対象値算出手段により算出された入浴開始判定対象値のいずれかが入浴開始を示すときに入浴開始と判定し、前記脱衣所湿度対応判定対象値算出手段により算出された入浴終了判定対象と前記脱衣所温度対応判定対象値算出手段により算出された入浴終了判定対象値のいずれかが入浴終了を示すときに入浴終了と判定することを特徴とする。
【００１５】
本発明に係る入浴状況監視システムでは、算出手段は、所定時間内に所定時間間隔で前後のデータを比較し、所定値を超える変動があった場合の度数を判定対象値とすることを特徴とする。
【００１６】
本発明に係る入浴状況監視システムでは、算出手段は、所定時間内に所定時間間隔で前後のデータを比較し、所定値を超える変動があった場合に所定重み値を加算して判定対象値とすることを特徴とする。
【００１７】
本発明に係る入浴状況監視システムでは、温度センサが浴室と脱衣所に設けられ、前記算出手段は、浴室に設けられた温度センサから時系列に得られる温度データに基づき温度の上昇下降傾向に対応付けて入浴開始判定対象値を算出する浴室温度対応判定対象値算出手段と、脱衣所に設けられた温度センサから時系列に得られる温度データに基づき温度の上昇下降傾向に対応付けて第１の入浴終了判定対象値と第２の入浴終了判定対象値とを算出する脱衣所温度対応判定対象値算出手段とにより構成され、入浴判定手段は、前記浴室温度対応判定対象値算出手段により算出された入浴開始判定対象値に基づき入浴開始の判定を実行し、前記脱衣所温度対応判定対象値算出手段により算出された第１、第２の入浴終了判定対象値に基づき入浴終了と判定することを特徴とする。
【００１８】
本発明に係る入浴状況監視システムでは、初期状態が入浴終了状態であり、前記入浴判定手段により入浴終了状態から入浴開始への変化がある毎に１人または１回を加算し、入浴し入浴終了となった人数または入浴回数を算出する入浴人数回数算出手段を具備したことを特徴とする。
【００１９】
本発明に係る入浴状況監視システムでは、初期状態が入浴終了状態であり、前記入浴判定手段により入浴終了状態から入浴開始への変化があったときから入浴終了となるまでの入浴時間を監視する入浴時間監視手段と、前記入浴監視手段により監視された入浴時間が所定値を超えると、警報情報を出力する警報出力制御手段とを具備することを特徴とする。
【００２０】
本発明に係る入浴状況監視プログラムは、コンピュータを、浴室と脱衣所の少なくとも一方に設けられる温度センサと湿度センサのとのいずれか一方のセンサにより得られるセンサデータに基づき温度または湿度の上昇下降傾向に対応付けて入浴開始判定対象値と入浴終了判定対象値を算出する算出手段、前記算出手段が算出した判定対象値に基づき入浴開始となったか入浴終了となったかを判定する入浴判定手段として機能させることを特徴とする。
【００２１】
本発明に係る入浴状況監視プログラムでは、前記コンピュータを、前記算出手段における、浴室に設けられた湿度センサから時系列に得られる湿度データに基づき湿度の上昇下降傾向に対応付けて入浴開始判定対象値を算出する浴室湿度対応判定対象値算出手段、脱衣所に設けられた湿度センサから時系列に得られる湿度データに基づき湿度の上昇下降傾向に対応付けて入浴終了判定対象値を算出する脱衣所湿度対応判定対象値算出手段として機能させ、前記コンピュータを、入浴判定手段として、前記浴室湿度対応判定対象値算出手段により算出された入浴開始判定対象値に基づき入浴開始の判定を行い、前記脱衣所湿度対応判定対象値算出手段により算出された入浴終了判定対象値に基づき入浴終了の判定を行うように機能させることを特徴とする。
【００２２】
本発明に係る入浴状況監視プログラムでは、前記コンピュータを、前記算出手段における、浴室に設けられた温度センサから時系列に得られる温度データに基づき温度の上昇下降傾向に対応付けて入浴開始判定対象値を算出する浴室温度対応判定対象値算出手段、脱衣所に設けられた温度センサから時系列に得られる温度データに基づき温度の上昇下降傾向に対応付けて入浴終了判定対象値を算出する脱衣所温度対応判定対象値算出手段ととして機能させ、前記コンピュータを、入浴判定手段として、前記浴室温度対応判定対象値算出手段により算出された入浴開始判定対象値に基づき入浴開始の判定を実行し、前記脱衣所温度対応判定対象値算出手段により算出された入浴終了判定対象値に基づき入浴終了と判定するように機能させることを特徴とする。
【００２３】
本発明に係る入浴状況監視プログラムでは、前記コンピュータを、前記算出手段における、浴室に設けられた湿度センサから時系列に得られる湿度データに基づき湿度の上昇下降傾向に対応付けて入浴開始判定対象値を算出する浴室湿度対応判定対象値算出手段、浴室に設けられた温度センサから時系列に得られる温度データに基づき温度の上昇下降傾向に対応付けて入浴開始判定対象値を算出する浴室温度対応判定対象値算出手段、脱衣所に設けられた湿度センサから時系列に得られる湿度データに基づき湿度の上昇下降傾向に対応付けて入浴終了判定対象値を算出する脱衣所湿度対応判定対象値算出手段、脱衣所に設けられた温度センサから時系列に得られる温度データに基づき温度の上昇下降傾向に対応付けて入浴終了判定対象値を算出する脱衣所温度対応判定対象値算出手段として機能させ、前記コンピュータを、入浴判定手段として、前記浴室湿度対応判定対象値算出手段により算出された入浴開始判定対象値と前記浴室温度対応判定対象値算出手段により算出された入浴開始判定対象値とに基づき入浴開始の判定を実行し、前記脱衣所湿度対応判定対象値算出手段により算出された入浴終了判定対象値と前記脱衣所温度対応判定対象値算出手段により算出された入浴終了判定対象値とに基づき入浴終了の判定を実行するように機能させることを特徴とする。
【００２４】
本発明に係る入浴状況監視プログラムでは、前記コンピュータを、入浴判定手段として、前記浴室湿度対応判定対象値算出手段により算出された入浴開始判定対象値及び前記浴室温度対応判定対象値算出手段により算出された入浴開始判定対象値が共に入浴開始を示すときに入浴開始と判定し、前記脱衣所湿度対応判定対象値算出手段により算出された入浴終了判定対象値及び前記脱衣所温度対応判定対象値算出手段により算出された入浴終了判定対象値が共に入浴終了を示すときに入浴終了と判定するように機能させることを特徴とする。
【００２５】
本発明に係る入浴状況監視プログラムでは、前記コンピュータを、入浴判定手段として、前記浴室湿度対応判定対象値算出手段により算出された入浴開始判定対象値と前記浴室温度対応判定対象値算出手段により算出された入浴開始判定対象値のいずれかが入浴開始を示すときに入浴開始と判定し、前記脱衣所湿度対応判定対象値算出手段により算出された入浴終了判定対象と前記脱衣所温度対応判定対象値算出手段により算出された入浴終了判定対象値のいずれかが入浴終了を示すときに入浴終了と判定するように機能させることを特徴とする。
【００２６】
本発明に係る入浴状況監視プログラムでは、前記コンピュータを、算出手段として、所定時間内に所定時間間隔で前後のデータを比較し、所定値を超える変動があった場合の度数を判定対象値とするように機能させることを特徴とする。
【００２７】
本発明に係る入浴状況監視プログラムでは、前記コンピュータを、算出手段として、所定時間内に所定時間間隔で前後のデータを比較し、所定値を超える変動があった場合に所定重み値を加算して判定対象値とするように機能させることを特徴とする。
【００２８】
本発明に係る入浴状況監視プログラムでは、前記コンピュータを、算出手段における、浴室に設けられた温度センサから時系列に得られる温度データに基づき温度の上昇下降傾向に対応付けて入浴開始判定対象値を算出する浴室温度対応判定対象値算出手段、脱衣所に設けられた温度センサから時系列に得られる温度データに基づき温度の上昇下降傾向に対応付けて第１の入浴終了判定対象値と第２の入浴終了判定対象値とを算出する脱衣所温度対応判定対象値算出手段として機能させ、前記コンピュータを、入浴判定手段として、前記浴室温度対応判定対象値算出手段により算出された入浴開始判定対象値に基づき入浴開始の判定を実行し、前記脱衣所温度対応判定対象値算出手段により算出された第１、第２の入浴終了判定対象値に基づき入浴終了と判定するように機能させることを特徴とする。
【００２９】
本発明に係る入浴状況監視プログラムでは、前記コンピュータを更に、初期状態が入浴終了状態であり、前記入浴判定手段により入浴終了状態から入浴開始への変化がある毎に１人または１回を加算し、入浴し入浴終了となった人数または入浴回数を算出する入浴人数回数算出手段として機能させることを特徴とする。
【００３０】
本発明に係る入浴状況監視プログラムでは、前記コンピュータを更に、初期状態が入浴終了状態であり、前記入浴判定手段により入浴終了状態から入浴開始への変化があったときから入浴終了となるまでの入浴時間を監視する入浴時間監視手段、前記入浴監視手段により監視された入浴時間が所定値を超えると、警報情報を出力する警報出力制御手段として機能させることを特徴とする。
【発明の効果】
【００３１】
本発明によれば、浴室と脱衣所において人が戸やドア等を操作して出入りすることにより温度または湿度の上昇下降傾向が現れることに鑑み、浴室と脱衣所の少なくとも一方に設けられる温度センサと湿度センサのとのいずれか一方のセンサにより得られるセンサデータに基づき温度または湿度の上昇下降傾向に対応付けて入浴開始判定対象値と入浴終了判定対象値を算出し、算出した判定対象値に基づき入浴開始となったか入浴終了となったかを判定するので、人による監視が不必要であり、照明環境の変動が特にない入浴環境においても適切に入浴開始と入浴終了を判定して、風呂場などにおけるヒートショックやその他の事故などの蓋然性が高い場合を知ることができる。
【図面の簡単な説明】
【００３２】
【図１】本発明に係る入浴状況監視システムの第１の実施形態に係る入浴状況監視システムの構成図。
【図２】本発明に係る入浴状況監視システムの第１の実施形態に係る入浴状況監視システムの動作を示すフローチャート。
【図３】本発明に係る入浴状況監視システムの第１の実施形態に係る入浴状況監視システムの動作を示すフローチャート。
【図４】本発明に係る入浴状況監視システムの第２の実施形態に係る入浴状況監視システムの要部構成図。
【図５】本発明に係る入浴状況監視システムの第２の実施形態に係る入浴状況監視システムの動作を示すフローチャート。
【図６】本発明に係る入浴状況監視システムの第２の実施形態に係る入浴状況監視システムの動作を示すフローチャート。
【図７】本発明に係る入浴状況監視システムの第３の実施形態に係る入浴状況監視システムの要部構成図。
【図８】本発明に係る入浴状況監視システムの第３の実施形態に係る入浴状況監視システムの動作を示すフローチャート。
【図９】本発明に係る入浴状況監視システムの第３の実施形態に係る入浴状況監視システムの動作を示すフローチャート。
【図１０】本発明に係る入浴状況監視システムの第４の実施形態に係る入浴状況監視システムの要部構成図。
【図１１】本発明に係る入浴状況監視システムの第４の実施形態に係る入浴状況監視システムの動作を示すフローチャート。
【図１２】本発明に係る入浴状況監視システムの第４の実施形態に係る入浴状況監視システムの動作を示すフローチャート。
【図１３】本発明に係る入浴状況監視システムの第５の実施形態に係る入浴状況監視システムの要部構成図。
【図１４】本発明に係る入浴状況監視システムの第５の実施形態に係る入浴状況監視システムの動作を示すフローチャート。
【図１５】本発明に係る入浴状況監視システムの第５の実施形態に係る入浴状況監視システムの動作を示すフローチャート。
【図１６】本発明に係る入浴状況監視システムの第６の実施形態に係る入浴状況監視システムの要部構成図。
【図１７】本発明に係る入浴状況監視システムの第６の実施形態に係る入浴状況監視システムの動作を示すフローチャート。
【図１８】本発明に係る入浴状況監視システムの第６の実施形態に係る入浴状況監視システムの動作を示すフローチャート。
【図１９】本発明に係る入浴状況監視システムの第７の実施形態に係る入浴状況監視システムの要部構成図。
【図２０】本発明に係る入浴状況監視システムの第７の実施形態に係る入浴状況監視システムの動作を示すフローチャート。
【図２１】本発明に係る入浴状況監視システムの第７の実施形態に係る入浴状況監視システムの動作を示すフローチャート。
【発明を実施するための形態】
【００３３】
以下添付図面を参照して、本発明に係る入浴状況監視システム及び入浴状況監視プログラムの実施形態を説明する。各図において同一の構成要素には、同一の符号を付して重複する説明を省略する。図１には、第１の実施形態に係る入浴状況監視システムの構成図が示されている。この実施形態では、一般住宅１００における監視を例とするが、シェアハウスやグループホームなどにも適用することができる。
【００３４】
一般住宅１００には、リビング１１０と脱衣所１３０と浴室１２０とが設けられている。浴室１２０には、温湿度センサ１０１が設けられ、脱衣所１３０には、温湿度センサ１０２が設けられている。温湿度センサ１０１、１０２は、温度センサと湿度センサが含まれたセンサである。温湿度センサ１０１、１０２は、天井などに吊るして簡単に設けることができるが、湯船から立ち上った蒸気が結露して水滴として落下するような位置は避けるものとする。本発明に係る入浴状況監視システムでは、浴室と脱衣所の少なくとも一方に、温度センサと湿度センサのとのいずれか一方のセンサが設けられていれば良い。温湿度センサ１０１、１０２には、送信機器１０３が接続されている。
【００３５】
温湿度センサ１０１、１０２により得られた温度データ及び湿度データは、送信機器１０３からクラウド環境のクラウドコンピュータ２００に送られる。クラウドコンピュータ２００には、受信部２０１が設けられ、送信機器１０３から送られた温度データ及び湿度データの受信が受信部２０１において行われる。クラウドコンピュータ２００には、演算処理部２１０が備えられており、入浴状況監視に関する中心的な処理がこの演算処理部２１０において行われる。具体的には、演算処理部２１０には、プログラムにより実現される算出手段２２０、入浴判定手段２３０、入浴人数回数算出手段２４０、入浴時間監視手段２５０及び警報出力制御手段２６０が備えられている。
【００３６】
また、クラウドコンピュータ２００には、送信部２０２が設けられ、演算処理部２１０により演算処理された結果の情報が上記送信部２０２から一般住宅の端末１０４へ送られる。端末１０４は、スマートフォン、ＰＤＡ（パーソナルディジタルアシスタント）、パーソナルコンピュータなどにより構成することができる。クラウドコンピュータ２００から送られた入浴中と非入浴中、入浴人数回数、警報情報などは端末１０４の表示部に表示出力され、スピーカなどから音声として出力されるようにすることができる。
【００３７】
算出手段２２０は、上記センサにより得られるセンサデータに基づき温度または湿度の上昇下降傾向に対応付けて入浴開始判定対象値と入浴終了判定対象値を算出するものである。温度または湿度の上昇下降傾向に対応付けて算出された入浴開始判定対象値と入浴終了判定対象値は、入浴開始と入力終了を判定する情報として好適である。即ち、人が浴室と脱衣所において出入りすることは入浴開始と入力終了に対応し、この出入りによって浴室や脱衣所において、温度または湿度の上昇下降傾向が現れるからである。
【００３８】
算出手段２２０は、所定時間内に所定時間間隔で前後のデータを比較し、所定値を超える変動があった場合の度数を判定対象値とする。また、算出手段２２０は、所定時間内に所定時間間隔で前後のデータを比較し、所定値を超える変動があった場合に所定重み値を加算して判定対象値とするものであっても良い。上記の２通りの算出においていずれにおいても、人が脱衣所・浴室に入ることにより温度と湿度が上昇するという観点からは入浴開始判定対象値と入浴終了判定対象値との双方算出には、上記の変動として上昇傾向の変動を用いることができる。また、人が脱衣所・浴室から去ることにより温度と湿度が低下するという観点からは入浴開始判定対象値と入浴終了判定対象値との双方算出には、上記の変動として下降傾向の変動を用いることができる。
【００３９】
入浴判定手段２３０は、上記算出手段２２０が算出した判定対象値（入浴開始判定対象値と入浴終了判定対象値）に基づき入浴開始となったか入浴終了となったかを判定するものである。入浴開始となったときに、入浴中である旨の情報を端末１０４へ送るようにしても良い。また、入浴終了となったときに、入浴中であることを取り消す情報を端末１０４へ送るようにしても良い。
【００４０】
入浴人数回数算出手段２４０は、初期状態が入浴終了状態であり、上記入浴判定手段２３０により入浴終了状態から入浴開始への変化がある毎に１人または１回を加算し、入浴し入浴終了となった人数または入浴回数を算出するものである。この人数または入浴回数は、端末１０４へ送るようにしても良い。入浴時間監視手段２５０及び警報出力制御手段２６０
【００４１】
入浴時間監視手段２５０は、初期状態が入浴終了状態であり、前記入浴判定手段により入浴終了状態から入浴開始への変化があったときから入浴終了となるまでの入浴時間を監視するものである。警報出力制御手段２６０は、上記入浴時間監視手段２５０により監視された入浴時間が所定値を超えると、警報情報を出力するものである。この警報情報を端末１０４へ送るようにしても良い。
【００４２】
以上のように構成された第１の実施形態に係る入浴状況監視システムの動作を、図２に示すフローチャートを用いて説明する。処理が開始され、保存されている入浴中フラグ、入浴開始時刻、入浴回数（または、人数）などのデータの読み込みを行い（Ｓ１１）、入浴中フラグが１であるかを検出する（Ｓ１２）。なお、初期状態では入力終了であり、入浴中フラグは０である。
【００４３】
上記ステップＳ１２においてＹＥＳへ分岐すると、データ受信の時刻をレジスタｔへセットし（Ｓ１３）、温度または湿度の上昇下降傾向に対応付けて入浴開始判定対象値を算出する処理を行う（Ｓ１４）。次に、上記ステップＳ１４の処理において得られた入浴開始判定対象値に基づき入浴開始となったかの判定を行う（Ｓ１５）。
【００４４】
ステップＳ１５において入力開始となった場合には、入浴中フラグを１として（Ｓ１６）、更にレジスタｔに現在時刻を入浴開始時刻としてセットすると共に入浴回数（人数）を１インクリメントして（Ｓ１７）処理を終了する。
【００４５】
上記ステップＳ１２においてＮＯへ分岐すると、ステップＳ１１において得た入浴開始時刻をレジスタｔへセットし（Ｓ１８）、温度または湿度の上昇下降傾向に対応付けて入浴終了判定対象値を算出する処理を行う（Ｓ１９）。次に、上記ステップＳ１９の処理において得られた入浴終了判定対象値に基づき入浴終了となったかの判定を行う（Ｓ２０）。
【００４６】
上記ステップＳ２０においてＮＯとなると処理を終了する一方、上記ステップＳ２０においてＹＥＳとなると入浴中フラグを０として（Ｓ２１）、レジスタｔに現在時刻を入浴終了時刻としてセットして（Ｓ２２）、処理を終了する。
【００４７】
図３は、入浴時間監視手段２５０及び警報出力制御手段２６０による処理のフローチャートである。処理の開始となり、入浴中フラグと入浴開始時刻とを読み出し（Ｓ２３）、入浴中フラグが１となっているかを検出する（Ｓ２４）。
【００４８】
ステップＳ２４においてＮＯとなると処理を終了する一方、ＹＥＳとなると、現在時刻から入浴開始時刻を減算して、この値が所定値（ここでは、３０分）を越えているかを検出する（Ｓ２５）。このステップＳ２５においてＮＯとなると処理を終了する一方、ＹＥＳとなると、注意喚起の警報を端末１０４へ送って（Ｓ２６）処理を終了する。
【００４９】
図４に、第２の実施形態の要部である算出手段２２０Ａが示されている。算出手段２２０Ａは、浴室湿度対応判定対象値算出手段３１０と脱衣所湿度対応判定対象値算出手段３２０とにより構成されている。また、図示していないが、浴室１２０に湿度センサが設けられ、脱衣所１３０に湿度センサが設けられており、温度センサは用いない。
【００５０】
上記浴室湿度対応判定対象値算出手段３１０は、浴室１２０に設けられた湿度センサから時系列に得られる湿度データに基づき湿度の上昇下降傾向に対応付けて入浴開始判定対象値を算出する。また、脱衣所湿度対応判定対象値算出手段３２０は、脱衣所１３０に設けられた湿度センサから時系列に得られる湿度データに基づき湿度の上昇下降傾向に対応付けて入浴終了判定対象値を算出する。
【００５１】
更に、入浴判定手段２３０Ａは、上記浴室湿度対応判定対象値算出手段３１０により算出された入浴開始判定対象値に基づき入浴開始の判定を行い、上記脱衣所湿度対応判定対象値算出手段３２０により算出された入浴終了判定対象値に基づき入浴終了の判定を行う。算出手段２２０Ａと入浴判定手段２３０Ａ以外の構成は第１の実施形態と同じ構成である。
【００５２】
図５に、上記浴室湿度対応判定対象値算出手段３１０による算出処理と、算出された入浴開始判定対象値に基づき入浴判定手段２３０Ａが行う入浴開始の判定の処理フローチャートを示し、図６に、上記脱衣所湿度対応判定対象値算出手段３２０による算出処理と、算出された入浴終了判定対象値に基づき入浴判定手段２３０Ａが行う入浴終了の判定の処理フローチャートを示す。以下に、上記図５と図６の処理を説明する。
【００５３】
図５に示すように処理が開始されると、レジスタｔに現在時刻をセットし、レジスタｔｍｐに０をセットする（Ｓ３１）。ステップＳ３２からステップＳ３５の処理を繰り返す。つまり、算出手段２２０Ａは、所定時間内（この実施形態では５分）に所定時間間隔（この実施形態では１分）で前後のデータを比較し、所定値（浴室湿度変化指標）を超える変動があった場合の度数ｔｍｐを判定対象値とする。
【００５４】
ステップＳ３２は、１分ごとにデータを更新するステップであり、ステップＳ３３は、前後のデータを比較し浴室湿度変化指標を超えているか検出するステップである。ステップＳ３４は、浴室湿度変化指標を超えている場合に度数ｔｍｐを１インクリメントするステップである。ステップＳ３５は、５分の処理を行っていない場合にステップＳ３２へ戻し、５分の処理を行っていると次に進めるステップである。
【００５５】
ステップＳ３２からステップＳ３５の繰り返し処理が終わると、度数ｔｍｐが浴室湿度参考値（閾値）を超えているかを判定し（Ｓ３６）、ＹＥＳとなると入浴開始と判定して入浴中フラグを１とする（Ｓ３７）。ステップＳ３７が終了した場合またはステップＳ３６においてＮＯへ分岐すると処理を終了する。
【００５６】
図６に示すように処理が開始されると、レジスタｔに現在時刻をセットし、レジスタｔｍｐに０をセットする（Ｓ４１）。ステップＳ４２からステップＳ４５の処理を繰り返す。つまり、算出手段２２０Ａは、所定時間内（この実施形態では５分）に所定時間間隔（この実施形態では１分）で前後のデータを比較し、所定値（脱衣所湿度変化指標）を超える変動があった場合の度数ｔｍｐを判定対象値とする。
【００５７】
ステップＳ４２は、１分ごとにデータを更新するステップであり、ステップＳ４３は、前後のデータを比較し脱衣所湿度変化指標を超えているか検出するステップである。ステップＳ４４は、脱衣所湿度変化指標を超えている場合に度数ｔｍｐを１インクリメントするステップである。ステップＳ４５は、５分の処理を行っていない場合にステップＳ４２へ戻し、５分の処理を行っていると次に進めるステップである。
【００５８】
ステップＳ４２からステップＳ４５の繰り返し処理が終わると、度数ｔｍｐが脱衣所湿度参考値（閾値）を超えているかを判定し（Ｓ４６）、ＹＥＳとなると入浴終了と判定して入浴中フラグを０とする（Ｓ４７）。ステップＳ４７が終了した場合またはステップＳ４６においてＮＯへ分岐すると処理を終了する。
【００５９】
図７に、第３の実施形態の要部である算出手段２２０Ｂが示されている。算出手段２２０Ｂは、浴室温度対応判定対象値算出手段３３０と脱衣所温度対応判定対象値算出手段３４０とにより構成されている。また、図示していないが、浴室１２０に温度センサが設けられ、脱衣所１３０に温度センサが設けられており、湿度センサは用いない。
【００６０】
上記浴室温度対応判定対象値算出手段３３０は、浴室１２０に設けられた温度センサから時系列に得られる温度データに基づき温度の上昇下降傾向に対応付けて入浴開始判定対象値を算出する。また、脱衣所温度対応判定対象値算出手段３４０は、脱衣所１３０に設けられた温度センサから時系列に得られる温度データに基づき温度の上昇下降傾向に対応付けて入浴終了判定対象値を算出する。
【００６１】
更に、入浴判定手段２３０Ｂは、上記浴室温度対応判定対象値算出手段３３０により算出された入浴開始判定対象値に基づき入浴開始の判定を行い、上記脱衣所温度対応判定対象値算出手段３４０により算出された入浴終了判定対象値に基づき入浴終了の判定を行う。算出手段２２０Ｂと入浴判定手段２３０Ｂ以外の構成は第１の実施形態と同じ構成である。
【００６２】
図８に、上記浴室温度対応判定対象値算出手段３３０による算出処理と、算出された入浴開始判定対象値に基づき入浴判定手段２３０Ｂが行う入浴開始の判定の処理フローチャートを示し、図９に、上記脱衣所温度対応判定対象値算出手段３４０による算出処理と、算出された入浴終了判定対象値に基づき入浴判定手段２３０Ｂが行う入浴終了の判定の処理フローチャートを示す。以下に、上記図８と図９の処理を説明する。
【００６３】
図８に示すように処理が開始されると、レジスタｔに現在時刻をセットし、レジスタｔｍｐに０をセットする（Ｓ５１）。ステップＳ５２からステップＳ５５の処理を繰り返す。つまり、算出手段２２０Ｂは、所定時間内（この実施形態では５分）に所定時間間隔（この実施形態では１分）で前後のデータを比較し、所定値（浴室温度変化指標）を超える変動があった場合の度数ｔｍｐを判定対象値とする。
【００６４】
ステップＳ５２は、１分ごとにデータを更新するステップであり、ステップＳ５３は、前後のデータを比較し浴室温度変化指標を超えているか検出するステップである。ステップＳ５４は、浴室温度変化指標を超えている場合に度数ｔｍｐを１インクリメントするステップである。ステップＳ５５は、５分の処理を行っていない場合にステップＳ５２へ戻し、５分の処理を行っていると次に進めるステップである。
【００６５】
ステップＳ５２からステップＳ５５の繰り返し処理が終わると、度数ｔｍｐが浴室温度参考値（閾値）を超えているかを判定し（Ｓ５６）、ＹＥＳとなると入浴開始と判定して入浴中フラグを１とする（Ｓ５７）。ステップＳ５７が終了した場合またはステップＳ５６においてＮＯへ分岐すると処理を終了する。
【００６６】
図９に示すように処理が開始されると、レジスタｔに現在時刻をセットし、レジスタｔｍｐに０をセットする（Ｓ６１）。ステップＳ６２からステップＳ６５の処理を繰り返す。つまり、算出手段２２０Ｂは、所定時間内（この実施形態では５分）に所定時間間隔（この実施形態では１分）で前後のデータを比較し、所定値（脱衣所温度変化指標）を超える変動があった場合の度数ｔｍｐを判定対象値とする。
【００６７】
ステップＳ６２は、１分ごとにデータを更新するステップであり、ステップＳ６３は、前後のデータを比較し脱衣所温度変化指標を超えているか検出するステップである。ステップＳ６４は、脱衣所温度変化指標を超えている場合に度数ｔｍｐを１インクリメントするステップである。ステップＳ６５は、５分の処理を行っていない場合にステップＳ６２へ戻し、５分の処理を行っていると次に進めるステップである。
【００６８】
ステップＳ６２からステップＳ６５の繰り返し処理が終わると、度数ｔｍｐが脱衣所温度参考値（閾値）を超えているかを判定し（Ｓ６６）、ＹＥＳとなると入浴終了と判定して入浴中フラグを０とする（Ｓ６７）。ステップＳ６７が終了した場合またはステップＳ６６においてＮＯへ分岐すると処理を終了する。
【００６９】
図１０に、第４の実施形態の要部である算出手段２２０Ｃが示されている。算出手段２２０Ｃは、浴室湿度対応判定対象値算出手段３１０、脱衣所湿度対応判定対象値算出手段３２０と浴室温度対応判定対象値算出手段３３０、脱衣所温度対応判定対象値算出手段３４０とにより構成されている。また、図示していないが、浴室１２０及び脱衣所１３０にそれぞれ湿度センサ及び温度センサが設けられている。
【００７０】
入浴判定手段２３０Ｃは、上記浴室湿度対応判定対象値算出手段３１０により算出された入浴開始判定対象値と上記浴室温度対応判定対象値算出手段３３０により算出された入浴開始判定対象値とに基づき入浴開始の判定を実行し、上記脱衣所湿度対応判定対象値算出手段３２０により算出された入浴終了判定対象値と上記脱衣所温度対応判定対象値算出手段３４０により算出された入浴終了判定対象値とに基づき入浴終了の判定を実行する。
【００７１】
本実施形態において、入浴判定手段２３０Ｃは、上記浴室湿度対応判定対象値算出手段３１０により算出された入浴開始判定対象値及び上記浴室温度対応判定対象値算出手段３３０により算出された入浴開始判定対象値が共に入浴開始を示すときに入浴開始と判定し、上記脱衣所湿度対応判定対象値算出手段３２０により算出された入浴終了判定対象値及び上記脱衣所温度対応判定対象値算出手段３４０により算出された入浴終了判定対象値が共に入浴終了を示すときに入浴終了と判定する。
【００７２】
図１１に、上記浴室湿度対応判定対象値算出手段３１０と上記浴室温度対応判定対象値算出手段３３０による算出処理と、算出された入浴開始判定対象値に基づき入浴判定手段２３０Ｃが行う入浴開始の判定の処理フローチャートを示し、図１２に、上記脱衣所湿度対応判定対象値算出手段３２０と上記脱衣所温度対応判定対象値算出手段３４０による算出処理と、算出された入浴終了判定対象値に基づき入浴判定手段２３０Ｃが行う入浴終了の判定の処理フローチャートを示す。以下に、上記図１１と図１２の処理を説明する。
【００７３】
図１１においては、図８に示したステップＳ５１からステップＳ５６までの第３の実施形態の浴室温度対応判定対象値算出手段３３０による算出処理と、図５に示したステップＳ３１からステップＳ３６までの第２の実施形態の浴室湿度対応判定対象値算出手段３１０による算出処理とが組み合わされており、この部分は既に説明したので再度の説明を省略する。
【００７４】
図１１のステップＳ５６において、度数ｔｍｐが浴室温度参考値（閾値）を超えているかを判定し（Ｓ５６）、ＹＥＳとなると入浴開始と判定して入浴中フラグではなく浴室温度判定フラグを１とする（Ｓ７１）。ステップＳ７１が終了した場合またはステップＳ５６においてＮＯへ分岐するとステップＳ３１へ進む。
【００７５】
ステップＳ３１からステップＳ３６までは既に説明した通りの処理が行われ、ステップＳ３６において、度数ｔｍｐが浴室湿度参考値（閾値）を超えているかを判定し（Ｓ３６）、ＹＥＳとなると入浴開始と判定して入浴中フラグではなく浴室湿度判定フラグを１とする（Ｓ７２）。ステップＳ７２が終了した場合またはステップＳ３６においてＮＯへ分岐するとステップＳ７３へ進む。
【００７６】
ステップＳ７３においては、浴室温度判定フラグが１で且つ浴室湿度判定フラグが１であるかを検出し（Ｓ７３）、ＹＥＳとなると入浴開始と判定して入浴中フラグを１とする（Ｓ７４）。つまり、上記浴室湿度対応判定対象値算出手段３１０により算出された入浴開始判定対象値及び上記浴室温度対応判定対象値算出手段３３０により算出された入浴開始判定対象値が共に入浴開始を示すときに入浴開始と判定している。ステップＳ７４が終了した場合またはステップＳ７３においてＮＯへ分岐すると処理を終了する。
【００７７】
図１２においては、図９に示したステップＳ６１からステップＳ６６までの第３の実施形態の脱衣所温度対応判定対象値算出手段３４０による算出処理と、図６に示したステップＳ４１からステップＳ４６までの第２の実施形態の脱衣所湿度対応判定対象値算出手段３２０による算出処理とが組み合わされており、この部分は既に説明したので再度の説明を省略する。
【００７８】
図１２のステップＳ６６において、度数ｔｍｐが脱衣所温度参考値（閾値）を超えているかを判定し（Ｓ６６）、ＹＥＳとなると入浴終了と判定して入浴中フラグではなく脱衣所温度判定フラグを１とする（Ｓ８１）。ステップＳ８１が終了した場合またはステップＳ６６においてＮＯへ分岐するとステップＳ４１へ進む。
【００７９】
ステップＳ４１からステップＳ４６までは既に説明した通りの処理が行われ、ステップＳ４６において、度数ｔｍｐが脱衣所湿度参考値（閾値）を超えているかを判定し（Ｓ４６）、ＹＥＳとなると入浴終了と判定して入浴中フラグではなく浴室湿度判定フラグを１とする（Ｓ８２）。ステップＳ８２が終了した場合またはステップＳ４６においてＮＯへ分岐するとステップＳ８３へ進む。
【００８０】
ステップＳ８３においては、脱衣所温度判定フラグが１で且つ脱衣所湿度判定フラグが１であるかを検出し（Ｓ８３）、ＹＥＳとなると入浴終了と判定して入浴中フラグを０とする（Ｓ８４）。つまり、上記脱衣所湿度対応判定対象値算出手段３２０により算出された入浴終了判定対象値及び上記脱衣所温度対応判定対象値算出手段３４０により算出された入浴終了判定対象値が共に入浴終了を示すときに入浴終了と判定している。ステップＳ８４が終了した場合またはステップＳ８３においてＮＯへ分岐すると処理を終了する。
【００８１】
図１３に、第５の実施形態の要部である演算処理部２１０が示されている。本実施形態では、入浴判定手段２３０Ｄの構成が第４の実施形態のものと異なるだけで、他の構成は同じである。入浴判定手段２３０Ｄは、上記浴室湿度対応判定対象値算出手段３１０により算出された入浴開始判定対象値と上記浴室温度対応判定対象値算出手段３３０により算出された入浴開始判定対象値のいずれかが入浴開始を示すときに入浴開始と判定し、上記脱衣所湿度対応判定対象値算出手段３２０により算出された入浴終了判定対象と上記脱衣所温度対応判定対象値算出手段３４０により算出された入浴終了判定対象値のいずれかが入浴終了を示すときに入浴終了と判定する。
【００８２】
図１４に、上記浴室湿度対応判定対象値算出手段３１０と上記浴室温度対応判定対象値算出手段３３０による算出処理と、算出された入浴開始判定対象値に基づき入浴判定手段２３０Ｄが行う入浴開始の判定の処理フローチャートを示し、図１５に、上記脱衣所湿度対応判定対象値算出手段３２０と上記脱衣所温度対応判定対象値算出手段３４０による算出処理と、算出された入浴終了判定対象値に基づき入浴判定手段２３０Ｄが行う入浴終了の判定の処理フローチャートを示す。以下に、上記図１４と図１５の処理を説明する。
【００８３】
図１４のフローチャートも第４の実施形態における図１１のフローチャートとほぼ同一である。ステップＳ７５のみが異なる。ステップＳ７５においては、浴室温度判定フラグが１または浴室湿度判定フラグが１であるかを検出し（Ｓ７５）、ＹＥＳとなると入浴開始と判定して入浴中フラグを１とする（Ｓ７４）。つまり、上記浴室湿度対応判定対象値算出手段３１０により算出された入浴開始判定対象値と上記浴室温度対応判定対象値算出手段３３０により算出された入浴開始判定対象値のいずれかが入浴開始を示すときに入浴開始と判定している。
【００８４】
図１５のフローチャートも第４の実施形態における図１２のフローチャートとほぼ同一である。ステップＳ８５のみが異なる。ステップＳ８５においては、脱衣所温度判定フラグが１または脱衣所湿度判定フラグが１であるかを検出し（Ｓ８５）、ＹＥＳとなると入浴終了と判定して入浴中フラグを０とする（Ｓ８４）。つまり、上記脱衣所湿度対応判定対象値算出手段３２０により算出された入浴終了判定対象と上記脱衣所温度対応判定対象値算出手段３４０により算出された入浴終了判定対象値のいずれかが入浴終了を示すときに入浴終了と判定している。
【００８５】
以上の各実施形態では、算出手段２２０、２２０Ａ、２２０Ｂ、２２０Ｃは、所定時間内に所定時間間隔で前後のデータを比較し、所定値を超える変動があった場合の度数を判定対象値とするものであった。これらの算出手段２２０、２２０Ａ、２２０Ｂ、２２０Ｃを、所定時間内に所定時間間隔で前後のデータを比較し、所定値を超える変動があった場合に所定重み値を加算して判定対象値とするように変更しても良い。
【００８６】
図１６に、第６の実施形態の要部構成を示す。本実施形態の算出手段２２０Ｅが上記の重みによる判定対象値の算出を行う。従って、浴室湿度対応判定対象値算出手段３１０Ｅ、脱衣所湿度対応判定対象値算出手段３２０Ｅ、浴室温度対応判定対象値算出手段３３０Ｅ、脱衣所温度対応判定対象値算出手段３４０Ｅが、重みによる判定対象値の算出を行う。また、入浴判定手段２３０Ｅは、浴室湿度対応判定対象値算出手段３１０Ｅにより算出された重みによる判定対象値と浴室温度対応判定対象値算出手段３３０Ｅにより算出された重みによる判定対象値とを加えた値が所定閾値を超えているか場合に入浴開始と判定する。また、入浴判定手段２３０Ｅは、脱衣所湿度対応判定対象値算出手段３２０Ｅにより算出された重みによる判定対象値と脱衣所温度対応判定対象値算出手段３４０Ｅにより算出された重みによる判定対象値とを加えた値が所定閾値を超えているか場合に入浴終了と判定する。
【００８７】
図１７と図１８に第６の実施形態による動作のフローチャートを示す。これらのフローチャートは、図１１と図１２に示した第４の実施形態のフローチャートとほぼ同じである。図１７のフローチャートでは、重みαと重みβを用いるために、レジスタｔに現在時刻をセットし、レジスタｔｍｐＡとレジスタｔｍｐＢに０をセットする（Ｓ５１Ａ）。ステップＳ５２からステップＳ５５の処理を繰り返しにより重みαの加算によりレジスタｔｍｐＡに判定対象値を蓄えている（Ｓ７６）。また、ステップＳ３２からステップＳ３５の処理を繰り返しにより重みβの加算によりレジスタｔｍｐＢに判定対象値を蓄えている（Ｓ７７）。
【００８８】
２つの繰り返し処理の後に、レジスタｔｍｐＡの判定対象値とレジスタｔｍｐＢの判定対象値を加えて、これが入浴判定値（閾値）より大きいか否か判定し（Ｓ７８）、ＹＥＳとなると入浴開始と判定して入浴中フラグを１とする（Ｓ７４）。
【００８９】
図１８のフローチャートでも、重みαと重みβを用いるために、レジスタｔに現在時刻をセットし、レジスタｔｍｐＡとレジスタｔｍｐＢに０をセットする（Ｓ６１Ａ）。ステップＳ６２からステップＳ６５の処理を繰り返しにより重みαの加算によりレジスタｔｍｐＡに判定対象値を蓄えている（Ｓ８６）。また、ステップＳ４２からステップＳ４５の処理を繰り返しにより重みβの加算によりレジスタｔｍｐＢに判定対象値を蓄えている（Ｓ８７）。
【００９０】
２つの繰り返し処理の後に、レジスタｔｍｐＡの判定対象値とレジスタｔｍｐＢの判定対象値を加えて、これが退室判定値（閾値）より大きいか否か判定し（Ｓ８８）、ＹＥＳとなると入浴終了と判定して入浴中フラグを０とする（Ｓ８４）。本実施形態においても、他の実施形態と同様に、高価な人感センサを用いることなく適切に入浴開始と入浴終了を判定して、風呂場などにおけるヒートショックやその他の事故などの蓋然性が高い場合を知ることができる。
【００９１】
図１９には、第７の実施形態に係る入浴状況監視システムの要部構成図が示されている。この実施形態の算出手段２２０Ｆは、浴室温度対応判定対象値算出手段３３０Ｆにより構成されている。また、図示していないが、浴室１２０に温度センサが設けられ、脱衣所１３０に温度センサが設けられておらず、湿度センサは用いない。つまり、浴室１２０に温度センサが設けられているだけである。
【００９２】
浴室温度対応判定対象値算出手段３３０Ｆは、図７の第３の実施形態と同様に所定時間内に所定時間間隔で前後のデータを比較し、所定値を超える変動があった場合の度数を判定対象値とする処理を行って入浴開始判定対象値を算出する他に、浴室１２０の温度の下降傾向に対応付けて入浴終了判定対象値を算出する。入浴判定手段２３０Ｆは、上記浴室温度対応判定対象値算出手段３３０Ｆにより算出された入浴開始判定対象値に基づき入浴開始の判定を行い、上記浴室温度対応判定対象値算出手段３３０Ｆにより算出された入浴終了判定対象値に基づき入浴終了の判定を行う。
【００９３】
図２０には、入浴開始判定対象値の算出処理と入浴開始判定対象値に基づく入浴開始の判定処理の動作を示すフローチャートが示されている。この処理は、図８に示した第３の実施形態の処理に概ね同じであるため、図８の符号と同じ符号部分の説明を省略する。この入浴開始判定対象値の算出処理においても、入浴終了判定対象値の算出に必要なレジスタｓが用いられる。処理が開始され、レジスタｔに現在時刻をセットし、レジスタｔｍｐとレジスタｓに０をセットする（Ｓ５１Ｆ）。
【００９４】
ステップＳ５２からステップＳ５５の処理を繰り返す。入浴終了判定対象値の算出のためにステップＳ９１においてレジスタの値ｓより処理対象の浴室温度が大きいか否かを検出し（Ｓ９１）、ＹＥＳとなるとレジスタの値ｓへ処理対象の浴室温度をセットする（Ｓ９２）。ステップＳ５２からステップＳ５５の繰り返し処理が終了してステップＳ５６、Ｓ５７の第３の実施形態と同じ処理により、度数ｔｍｐが浴室温度参考値（閾値）を超えているかを判定し（Ｓ５６）、ＹＥＳとなると入浴開始と判定して入浴中フラグを１とする（Ｓ５７）。ステップＳ９１、Ｓ９２による処理の結果、ステップＳ９３では、レジスタｓに最高浴室温度がセットされる（Ｓ９３）。
【００９５】
図２１には、入浴終了判定対象値の算出処理と入浴終了判定対象値に基づく入浴終了の判定処理の動作を示すフローチャートが示されている。この処理は、図９に示した第３の実施形態の処理と同じ処理が含まれている。この入浴終了判定対象値の算出処理においても、レジスタｓが用いられる。処理が開始され、レジスタｔに現在時刻をセットし、レジスタｔｍｐと０をセットし、図２０のステップＳ９３を受けてレジスタｓに最高浴室温度をセットする（Ｓ６１Ｆ）。
【００９６】
次のステップＳ９４においては、レジスタｓの値よりも処理中の浴室温度が高いか否かが検出され（Ｓ９４）、ＹＥＳとなるとレジスタｓへ処理中の浴室温度をセットして（Ｓ９８）、処理を終了する。ステップＳ９４においてＮＯへ分岐すると、ステップＳ６２からステップＳ６５の繰り返し処理へ進む。
【００９７】
ステップＳ６２からステップＳ６５の繰り返し処理において第３の実施形態と異なる点は、ステップＳ９５においては、前後のデータの差分値が脱衣所温度変化指標を下回っているか検出する点である。即ち、ステップＳ９５においては、浴室温度の下降傾向が所定であるかを検出している。ステップＳ９５においてＹＥＳへ分岐すると、ステップＳ６４において、度数ｔｍｐを１インクリメントする（Ｓ６４）。
【００９８】
ステップＳ６２からステップＳ６５の繰り返し処理が終了すると、度数ｔｍｐが退室浴室温度参考値（閾値）を超えているか、或いは、レジスタｓの値（最高浴室温度）から処理中の浴室温度を減算した値が所定閾値より大きいか、の条件が満たされているか否かを検出し（Ｓ９６）、ＹＥＳとなると入浴終了と判定して入浴中フラグを０とする（Ｓ６７）。ステップＳ６７が終了した場合には、レジスタｓの値を０として処理を終了する。
【００９９】
本実施形態においても、他の実施形態と同様に、高価な人感センサを用いることなく適切に入浴開始と入浴終了を判定して、風呂場などにおけるヒートショックやその他の事故などの蓋然性が高い場合を知ることができる。
【符号の説明】
【０１００】
１００  一般住宅
１０１、１０２  温湿度センサ
１０３  送信機器
１０４  端末
１１０  リビング
１２０  浴室
１３０  脱衣所
２００  クラウドコンピュータ
２０１  受信部
２０２  送信部
２１０  演算処理部
２２０、２２０Ａ、２２０Ｂ、２２０Ｃ、２２０Ｅ、２２０Ｆ  算出手段
２３０、２３０Ａ、２３０Ｂ、２３０Ｃ、２３０Ｄ、２３０Ｅ、２３０Ｆ  入浴判定手段
２４０  入浴人数回数算出手段
２５０  入浴時間監視手段
２６０  警報出力制御手段
３１０、３１０Ｅ  浴室湿度対応判定対象値算出手段
３２０、３２０Ｅ  脱衣所湿度対応判定対象値算出手段
３３０、３３０Ｅ、３３０Ｆ  浴室温度対応判定対象値算出手段
３４０、３４０Ｅ  脱衣所温度対応判定対象値算出手段
【図１】
2019100642.tif 000003
【図２】
2019100642.tif 000004
【図３】
2019100642.tif 000005
【図４】
2019100642.tif 000006
【図５】
2019100642.tif 000007
【図６】
2019100642.tif 000008
【図７】
2019100642.tif 000009
【図８】
2019100642.tif 000010
【図９】
2019100642.tif 000011
【図１０】
2019100642.tif 000012
【図１１】
2019100642.tif 000013
【図１２】
2019100642.tif 000014
【図１３】
2019100642.tif 000015
【図１４】
2019100642.tif 000016
【図１５】
2019100642.tif 000017
【図１６】
2019100642.tif 000018
【図１７】
2019100642.tif 000019
【図１８】
2019100642.tif 000020
【図１９】
2019100642.tif 000021
【図２０】
2019100642.tif 000022
【図２１】
2019100642.tif 000023